(57)【要約】【課題】重合可能な歯科材料の重合装置並びにその重合方法を提供することにより追加費用をかけずに最適な重合結果を提供する。【解決手段】重合可能歯科材料（１４）の重合用装置（１０）は、光源および／または熱源（１８あるいは２０）を備え、これにより歯科材料（１４）は衝突される。この装置は更に制御装置（２６）及び制御装置（２６）に接続されるセンサ（２４）を備え、これによりセンサ（２４）は所定の波長を有する歯科材料（１４）から放射された放射線（自然放射線）を検出する。【選択図】図１
2006305362.tif 000002
【特許請求の範囲】
【請求項１】
重合可能な歯科材料（１４）の重合用装置において：
光源および／または熱源（１８；２０）であって、これにより歯科材料（１４）は衝突される光源および／または熱源と；
光源および／または熱源（１８；２０）用の制御装置（２６）と；
制御装置（２６）に接続されるセンサ（２４）であって、センサ（２６）は歯科材料により放射される自然放射線から得られる波長を検出するセンサとから構成されることを特徴とする重合可能な歯科材料（１４）の重合用装置。
【請求項２】
８００ｎｍおよび１０，０００ｎｍの間、特に８００ｎｍおよび６，０００ｎｍの間、好適には３，０００ｎｍおよび５，０００ｎｍの間の波長範囲、あるいは、この波長範囲より低い範囲にある光がセンサで検出可能であることを特徴とする請求項１記載の装置。
【請求項３】
重合放射線と歯科材料から放射された検出放射線の波長範囲は互いに少なくとも少し異なることを特徴とする請求項２記載の装置。
【請求項４】
歯科材料上で光源および／または熱源（１８，２０）から放射された重合放射線は３５０ｎｍおよび５５０ｎｍの間の波長範囲内に少なくとも部分的に存在することを特徴とする請求項１記載の装置。
【請求項５】
センサ放射線（１８、２０）は一重合サイクルの間検出されることを特徴とする請求項１記載の装置。
【請求項６】
検出放射線の温度はセンサ（２４）で確認され且つ制御装置（２６）からは、その時間的進行、特に温度の上昇および／または低下が評価されることを特徴とする請求項１記載の装置。
【請求項７】
光源および／または熱源（１８、２０）およびセンサ（２４）の光軸は歯科材料に対して互いにゼロから偏位する角度で延在することを特徴とする請求項１記載の装置。
【請求項８】
センサ（２４）および／または制御装置（２６）は装置に内蔵されることを特徴とする請求項１記載の装置。
【請求項９】
歯科材料が重合される多重合領域を更に構成し、１つのセンサ（２４）は各重合領域に設置されることを特徴とする請求項１記載の装置。
【請求項１０】
重合領域は互いに空間的に分離され、且つ各重合領域において、少なくとも一つの光源および／または熱源（１８，２０）が配置されることを特徴とする請求項８記載の装置。
【請求項１１】
少なくとも一つのセンサ（２４）と歯科材料（１４）との間に、少なくとも一つの光導電要素（４４）が配置され、ここで歯科材料領域（１４）からの検出放射線がセンサ（２４）に伝導されおよび／またはここで光源および／または熱源（１８，２０）からの衝突放射線は歯科材料に伝導されることを特徴とする請求項１記載の装置。
【請求項１２】
少なくとも一つの光ファイバーが光導電要素（４６）の全長の一部にわたって延在し且つ側部に対面して光排出口（５４）を有し、且つセンサ（２４）は光排出口と向き合うよう配置されることを特徴とする請求項１１記載の装置。
【請求項１３】
一方に歯科材料（１４）およびその重合領域と、他方にセンサ（２４）および／または光源および／または熱源（１８，２０）との間に配置された光導電要素（４４）は少なくとも一つの光ファイバーを有し、且つ少なくとも一つの光ファイバーは光導電要素の全長にわたって延在することを特徴とする請求項１記載の装置。
【請求項１４】
光導電要素（１４）は少なくとも一つの光ファイバーを有し、検出放射線は光ファイバーで伝導され、且つ検出−光ファイバー（５２）は光導電要素（４４）の周辺領域あるいは中央領域に配列されることを特徴とする請求項１３記載の装置。
【請求項１５】
光導電要素は多重光ファイバー（５０，５２）を有し、少なくとも一つの光ファイバー（５２）において、検出放射線は伝導され、且つ検出−光ファイバー（５２）は光導電要素（４４）の周辺領域に配列されることを特徴とする請求項１３記載の装置。
【請求項１６】
光導電要素（４４）は少なくとも一つの光ファイバー（５０，５２）を有し、これは衝突放射線の波長範囲において、特に３５０ｎｍ乃至５５０ｎｍの波長範囲において貫通可能であることを特徴とする請求項１１記載の装置。
【請求項１７】
光導電要素は少なくとも一つの光ファイバーを有し、これは８００ｎｍ乃至１００００ｎｍ、特に３０００ｎｍ乃至５０００ｎｍの検出放射線の波長範囲において貫通可能であることを特徴とする請求項１１記載の装置。
【請求項１８】
光導電要素は光導電ロッドとして形成され、該光導電ロッドは光源および歯科材料間に延在することを特徴とする請求項１１記載の装置。
【請求項１９】
装置（１０）は手持ち式装置として形成されることを特徴とする請求項１記載の装置。
【請求項２０】
装置は外部電流供給源と接続可能であり、および／または装置は交換性電流供給源（６４）を有することを特徴とする請求項１記載の装置。
【請求項２１】
光源および／または熱源は少なくとも一つの半導体−エネルギー源により形成されることを特徴とする請求項１記載の装置。
【請求項２２】
重合可能な歯科材料の重合用装置において：
半導体エネルギー源の形状における光源および／または熱源と；
制御装置と；
制御装置に接続されるセンサであって、歯科材料の少なくとも一つの物理的および／または化学的および／または生物学的パラメータを検出し更にそれを電気計測信号に変換するセンサとから構成される重合可能な歯科材料の重合用装置。
【請求項２３】
センサ（２４）は歯科材料（１４）上に直接指向されることを特徴とする請求項２２記載の装置。
【請求項２４】
重合可能な歯科材料の重合度を決定する方法において、
光源および／または熱源を提供し；
制御装置を提供し；
センサを提供し；
装置（１０）の重合領域において歯科材料を光源および／または熱源で重合させ；
センサの出力信号に基づき光源および／または熱源を制御装置で制御し、ここでセンサ（２４）は重合領域に指令を受け且つ歯科材料（１４）の実パラメータ、特にその温度を検出する工程から構成されることを特徴とする重合可能な歯科材料の重合度を決定する方法。
【請求項２５】
歯科材料（１４）の実パラメータの勾配が変化する際に、特に加熱作用が減少する際に、センサ（２４）は制御装置に信号を出力することを特徴とする請求項２４記載の方法。
【請求項２６】
制御装置はセンサ（２４）の出力信号を処理し更に装置（１０）を制御するために、特に光源および／または熱源を制御するために処理することを特徴とする請求項２４記載の方法。
【請求項２７】
制御装置から放射される制御信号は停止信号であり、装置は電源を切られ且つ重合処理は停止信号の発信に基づき終了することを特徴とする請求項２４記載の方法。
【請求項２８】
センサ（２４）は８００ｎｍ乃至１０００ｎｍの波長範囲、特に３００ｎｍ乃至５０００ｎｍの波長範囲で歯科材料（１４）から放射された放射線を検出することを特徴とする請求項２４記載の方法。
【請求項２９】
歯科材料（１４）から放射された放射線を検出するために、光源および／または熱源は重合サイクルの間少なくとも一度制御装置により一時的に電源を切ることを特徴とする請求項２４記載の方法。
【発明の詳細な説明】
【技術分野】
【０００１】
本発明は重合可能な歯科材料の重合装置に関する。
【背景技術】
【０００２】
材料に適切な放射線、例えば熱放射で直接衝突させ、更にセンサにより個々の材料から反射した光量を検出することは長く知られてきた。この一例として、ドイツ国実用新案第９２０４６２１号明細書（特許文献１）に記載される解決法が挙げられる。この方法の欠点は、光の検出において材料の表面特性に非常に影響されることである。この方法は歯科材料への照射には不適切であり、それは歯科材料に存在する水分量が反射量に対して影響が非常に大きく且つ測定値に誤差を引き起こすためである。
【０００３】
あらゆる場合においてエネルギー衝突、すなわち、光源および／または熱源による衝突の信頼できる検出値を提供するために、ドイツ国特許出願公開第１９６１８５４２号明細書（特許文献２）は光センサとしてセンサを使用することが記載される。センサは実際の放射線区域外に配置され更に歯科材料の外側領域における輝度および／または温度を測定するため、前述した解決法における欠点を避けることができる。
【０００４】
一方、使用される歯科材料の重合化は多数の因子に大きく依存する。例えば、典型的な表面層における重合化は歯科材料における中心により近い層よりも速く重合化が進み、これは例えば歯科補綴材に使用される。
【０００５】
好ましい重合時間を決定する際に、重合材料の質量を予め決定し更にそれに従って重合時間を適合させることが既に提案されている。また、不完全な重合によって生じた、フリーラジカルを有するモノマーの放出、及び過剰な重合時間により生じた歯科補綴材の端部のギャップの形成を避けるために、多くの更なる特徴事項が提案されている。
【０００６】
歯科材料の差異だけでなく、例えば、個々の場合におけるパラメータは重合方法に影響を及ぼし、例えば塗布する前の歯科材料の保存期間などに影響がある。最適な重合結果を達成させるためには、同量で投入された重合材料から正確に同一形状を有する重合アッセイを実際に当業者は実現する必要がある。そのため、重合時間をどのように調整すべきかを試験し決定することになる。この方法は、当然のことながら実用的ではない。
【０００７】
【特許文献１】ドイツ国実用新案第９２０４６２１号明細書
【特許文献２】ドイツ国特許出願公開第１９６１８５４２号明細書
【発明の開示】
【発明が解決しようとする課題】
【０００８】
従って、本発明は重合可能な歯科材料の重合装置並びにその重合方法を提供することにより追加費用をかけずに最適な重合結果を提供することを目的とする。
【課題を解決するための手段】
【０００９】
本発明に関し、歯科材料自体から放出された放射線を検出することが特に好適である。従って、反射等により生じる誤差は最初から除外されるため、当然のことながら、検出放射線及び衝突放射線の光軸を適切に選択することによって、測定結果における誤差が他の放射線の影響、例えば干渉作用等から生じないことを保証する。
【００１０】
本発明に関し、検出放射線及び衝突放射線の波長及び波長の範囲は必要条件に対して広範囲に選択可能である。例えば、衝突放射線は紫外線の範囲を包含し、その一方でセンサにより検出された放射線の波長範囲は、例えば３０００ｎｍ以上に存在し、波長及び周波数の間に明確な差が存在する。
【００１１】
本発明に関し、重合材料の光による熱を検出することにより、重合度が正確に決定でき、更に実際には、実際の衝突した歯の質量の関数としてパターン特異性が決定できる。従って、重合アッセイを排除するにもかかわらず、重合度を決定することが可能であり、更にそれに伴って、電源を切る時点及び／または重合サイクル、すなわち重合のためのエネルギー衝突の時間的進行を正確に決定することが可能となる。
【００１２】
重合放射によるエネルギー衝突は必要条件あるいは要求される重合結果に対して広範囲に適合可能である。例えば、光源あるいは熱源は矩形波パルス信号で時間的進行において変調でき、これはＬＥＤあるいはレーザーダイオードにより容易に実現できる。
【００１３】
本発明に関し、特に好適には、異なる重合結果が生成される干渉効果は補正され：例えば湿った表面における、歯科材料の表面は衝突放射線を大量に反射する場合、歯科材料に接触する重合放射線の強度がより弱くなり、従って歯科材料から放出された検出放射線は同様に対応する方法でより弱くなるため、重合される実際量はその場で決定できる。
【００１４】
検出放射線はセンサに対して適切な方法で伝導される。手持ち式装置を使用する場合、衝突放射線及び検出放射線は光導電ロッドにより伝導され、その後、鏡などの適切な分離装置、この装置はおよそ４５°の角度で傾斜されるとともに衝突放射線により貫通され、検出放射線として反射され分割ビームを形成する。固定装置に関しては、一つ以上のセンサに対して空間的に相殺される位置に光源および／または熱源を配置させることが好ましい。例えば、センサは表面に対して垂直に配向させ、一方で２つの放射線源は歯科材料の表面を例えば３０°の角度で衝突させる。
【００１５】
当然のことながら、センサは干渉効果から保護されるかあるいは干渉効果が相殺されることが都合がよい。感圧センサに関し、例えば、基準センサが提供され、これは検出放射線により衝突されず、且つ能動的センサと共に測定ブリッジで配置されることにより測定値の誤差を防ぐ。また厳密な結果を要求される場合には当然センサは適切な方法で修正できる。
【００１６】
本発明に関し、重合化は発熱反応として正確に測定可能であり、且つこの効果は重合度を決定する際に顕著に単純な方法で使用可能であることが特に好適である。
【００１７】
別の好適な実施態様において、センサに関し、光は８００ｎｍ乃至１０，０００ｎｍの波長範囲、特に８００乃至６，０００ｎｍの波長範囲、好適には３，０００乃至５，０００ｎｍの波長範囲で検出可能であり、あるいはこの波長の範囲よりも低い範囲で検出可能である。
【００１８】
更に別の好適な実施態様において、重合放射線及び歯科材料から放出された検出放射線の波長範囲はそれぞれ少なくとも少し異なる。
【００１９】
更に別の好適な実施態様において、歯科材料上で光源及び／または熱源から放出された重合放射線は少なくとも３５０ｎｍおよび５５０ｎｍの間の波長の範囲内に少なくとも部分的に存在し、更に一重合サイクルの間のセンサ放射線が検出可能である。
【００２０】
更に別の好適な実施例において、センサにおいて検出放射線の温度が決定され、また制御装置において、その時間的進行が決定され；特に温度の上昇および／または温度低下が評価される。
【００２１】
更に別の好適な実施態様において、光源の光軸及びセンサは歯科材料に対してゼロから偏位する角度で延在し、更に特に口腔内領域で感度がよく且つ歯科材料上に配向される。
【００２２】
更に別の好適な実施態様において、センサ及び／または制御装置が装置内で一体化され且つその装置は多重の重合領域を備え、ここで歯科材料は重合化され、更に１つのセンサ、特に多重センサは各重合領域に配向される。
【００２３】
更に別の好適な実施態様において、重合領域どうしは互いに空間的に離れており且つ各重合領域において、少なくとも一つの光源および／または熱源が配置される。
【００２４】
更に別の好適な実施態様において、少なくとも一つのセンサと歯科材料との間に、少なくとも一つの光導電要素が配置され、ここで歯科材料領域からの検出放射線がセンサに伝導されおよび／またはここで衝突放射線が光源および／または熱源から歯科材料に伝導される。
【００２５】
更に別の実施態様において、少なくとも一つの光ファイバーが光導電要素の全長の一部に延在し、また特に、側部に光の出口を有し、この出口はセンサに対向する。
【００２６】
更に別の実施態様において、一方で歯科材料およびその重合領域と、他方側にセンサ及び／または光源および／または熱源との間に配置された光導電要素は少なくとも一つの光ファイバーを備え、このファイバーは光導電要素の全長にわたり延在する。
【００２７】
更に別の実施態様において、光導電要素は少なくとも一つの光ファイバーを有し、ここで検出放射線は伝導され、更に検出−光ファイバーが光導電要素の中央領域かあるいは周辺領域に配置される。更に光導電要素は多重光ファイバーを有し、且つ少なくとも一つの光ファイバーにおいて、検出放射線は伝導される。検出−光ファイバーは、特に光導電要素の周辺領域に配置される。
【００２８】
更に別の実施態様において、光導電要素は少なくとも一つの光ファイバーを有し、これは衝突放射線の波長範囲において、特に３５０ｎｍ乃至５５０ｎｍの波長範囲で貫通可能であり、更に光導電要素は少なくとも一つの光ファイバーを有し、これは８００ｎｍ乃至１０，０００ｎｍの範囲、特に３０００ｎｍ乃至５０００ｎｍの範囲における検出放射線の波長範囲において貫通される。
【００２９】
更に別の好適な実施態様において、光導電要素は光導電ロッドとして形成され、これは光源と歯科材料との間に延在し、更にこの装置は手持ち式装置として形成される。この装置は外部の電流供給源に接続され及び／またはこの装置は交換可能な電流供給源を有する。
【００３０】
更に別の好適な実施態様において、光源及び／または熱源は少なくとも一つの半導体エネルギー源により形成される。
【００３１】
加熱曲線の勾配の決定はセンサにおいて認識できる。これが急勾配の場合、その信号もまた、重合サイクルの間にその光力を減少させるために使用できる。もしこの勾配が平坦である場合、そのセンサに対応する信号により光力を上昇させる。
【００３２】
更に別の好適な実施態様において、歯科材料の実パラメータの勾配が変化すると、特に加熱作用が増加すると、センサが制御装置に対して信号を出し、更に制御装置はセンサの出力信号を処理することにより装置、特に光源及び／または熱源を制御する。
【００３３】
更に別の好適な実施態様において、制御装置から発信される制御信号は停止信号であり、これに伴って装置は電源を切り、更に重合処理が完了する。センサが８００ｎｍから１０，０００ｎｍ、特に３０００ｎｍ乃至５０００ｎｍの波長を有する歯科材料から放射された放射線を検出する。
【００３４】
更に別の好適な実施態様において、歯科材料から放射された放射線を検出するために光源および／または熱源は一回の重合サイクルの間に少なくとも一度制御装置により一時的に電源を切られる。
【００３５】
更なる利点、詳細な点及び特徴事項については、添付の図面を参照して後述するいくつかの実施例に記載する。
【発明を実施するための最良の形態】
【００３６】
図１に示される装置はケース１２を備え、これは支持台１６の上に設置される歯科材料１４を収容するためのものである。
【００３７】
開放され且つ放射線が衝突される重合領域において、歯科材料１４を重合するために、複数の光源１８および／または熱源２０を備え、これは図示される形態において相当する周波数範囲の電磁波を重合領域に照射する。光源１８並びに熱源２０は図示される形態においてケース１２の側壁上の内側に設置される。すなわち、これらの源から放射される放射線は歯科材料の表面を垂直に当てるのではなく、上から斜め横方向に当てる。この角度衝突により、反射による放射線の重合効果度の大幅削減を避ける。
【００３８】
多くの場合、歯科材料の重合領域の表面は平坦、すなわち水平ではなく、例えば波状であるか、あるいは別の形状を有する。多重電源の配置により、反射により生じる重合効果の著しい弊害は防がれる。また、図１の主要部に示されるように熱源２０及び光源１８はケースの両側、すなわち左右にのみ示される場合、当然のことながら、実際には複数の源が周囲に分布して配置可能であり、且つ実際に適切な分布で配置される。このような分布についてはドイツ国特許出願公開第１９６１８５４２号明細書に説明されており、参考としてここに組み入れられる。
【００３９】
図示される形態において、センサ２４は歯科材料１４の上に吊り下げられる。このセンサ２４は制御装置２６に接続され、この装置２６は装置１０を制御し、特に源１８、２０がスイッチオフされる時点あるいはそれらの出力を減少させる時点を制御する。
【００４０】
センサ２４は歯科材料１４から放射された検出放射線２８を検出する。源１８及び２０による影響を抑制するために、センサはエプロンの様式のシールド３０により包囲され、当然のことながら、これによってシールド３０は重合領域に対して衝突放射線が入射することを防ぐことはない。装置１０は公知の電流供給端子３２を介して接続され且つ図示される形態は固定装置１２を形成する。あるいは、装置１２において蓄熱媒体、例えば蓄電池を備え、電流供給端子３２を介して再充電することもできる。
【００４１】
図２は本発明の装置１０の変形例を示す。ここで、別の図面に使用されたものと同じ符号は同一あるいは相当する部分を示し、更なる説明を必要としない。図２の解決方法として、複数の支持台１６とそれに対応する歯科材料及び重合領域１４が互いに隣接して配置され、その上部にそれぞれ一つのセンサ２４が配置される。
【００４２】
各センサ２４のそれぞれの上部に一つの光源１８が配置される。この配置においては、図１に示されるような仕切りあるいはエプロンは必要なく、しかしながら、個々の重合領域２４が中間壁部４０を介して互いに仕切られる。
【００４３】
３つの中間壁部を備える直線的配置の代わりに、また実際面では二次元配置が可能であり、これにより、例えば、４×４で、合計１６の歯科補綴材が同時に重合できる。
【００４４】
光源１８及びセンサ２４に対しては、単一の中央制御装置２６を介して既存の重合度に従ってスイッチングオフされる。
【００４５】
本発明に関して、重合される歯科材料の重合度は重合の間連続的に監視される。重合領域に供給される放射線の減衰あるいはスイッチングオフは重合化の進み具合に基づいて制御される。重合度の測定に関し、驚くほど非常に簡単な方法で、重合の間歯科材料の自然放射が使用される。
【００４６】
例えば、ポリ−メチル−メタ−アクリレート（ＰＭＭＡ）が重合用歯科材料の主要成分として使用される場合、重合の間高い発熱反応が生じ、このために容易に監視可能である。この歯科材料に伴って加熱が生じ、すなわち赤外領域における熱放射が産出され、これは本発明のセンサにより検出される。
【００４７】
図３において、使用される波長の典型的ダイアグラムの図が示される。光源１８から生じる光は図示される実施形態において、ＵＶ範囲内である、およそ４００ｎｍの発光極大３６を有する。対照的に、熱源２０から放射される熱放射は８００ｎｍの発光極大３８を有し、例えば赤外領域に存在する。使用されるセンサの最大スペクトル感度は図示される形態においておよそ３０００ｎｍで存在し、実質的に遠赤外放射範囲に存在する。使用する波長を選択することに伴い、周波数等化を実施することで熱源２０の放射曲線及びセンサ２４の感度曲線との間の重なりがほんの僅かでしか存在しないようにする。
【００４８】
図４において、センサの出力信号４０が制御装置２６を制御するためにどのくらい使用されるかが示される。長期にわたり、光衝突は記録され、同様に出力信号４０を生成する、センサから検出された放射線も記録される。
【００４９】
光源１８のスイッチングオンに伴って、センサ信号はｔ１時点まで増加する。この時点まで、重合化は均一に進行し、従って自然放射が均一に増加する。しかしながら、自然放射線の最大値及びセンサの最大出力信号４０まで使用される歯科材料の質量に従って、より早くあるいはより遅く、ｔ２時点までわずかな増加が生じる。その後、センサ信号４０は再度上昇し、更にｔ３時点においてこれが決定されるとすぐに光源１８のスイッチングオフが生じる。
【００５０】
制御装置２６により修正された制御が図５に示される。この解決方法において、スイッチ−オフはセンサ信号４０の最大値で既に生じ、すなわちｔ２時点で生じ、その直後に、センサ信号の勾配が増加する。
【００５１】
図６は本発明の装置１０の更に別の変更した実施形態を示す。この解決法において、光源１８は歯科材料１４の上部中央に配置され、一方でセンサ２４は歯科材料１４の上から斜めに傾斜され横方向に配置される。センサと光源の光軸の間の角度４２は必要条件に対して別の領域に適合できる。
【００５２】
図７及び８は本発明の装置の変更した実施形態を示し、追加の光導電要素を有する。図７の実施形態において、光導電要素４４を備え、これは少なくとも一つの光ファイバーを備える。凸レンズ（図７に図示しない）もまた光導電要素に含まれ、これは光源１８から放射された放射線を収集し且つ光導電ロッド４６に対してその放射線を伝導する。ここでもまた、公知の方法において、エッジフィルターが長波放射を遮蔽するために配置される。
【００５３】
光導電ロッド４６は複数の隣接して配置された光ファイバーを有する（図１０及び図１１参照）。衝突−光ファイバー５０は光導電ロッド４６を通過して軸上に延在し更に歯科材料１４を光放射で衝突させ、検出−光ファイバー５２は側部に湾曲し、更に具体的には光導電ロッド４６の中心で湾曲する。そこで、光排出口５４が形成され、これを通して検出放射線はセンサ２４に伝導される。
【００５４】
図７の実施形態と比較して、図８の実施形態において検出−光ファイバー５２は光導電ロッドを完全に貫通する。この形態における検出放射線５６は重合領域１４から光導電ロッド４６に沿って貫通し更にセンサ２４と接触し、これらのセンサは光導電ロッド４６の外側周囲に且つ光源１８の上部に隣接して配置される。
【００５５】
図９は衝突−光ファイバー５０及び検出−光ファイバー５２が光導電ロッドにおいて互いに平行に走行する方法が示される。複数の対応する光ファイバーが適切な分布にて配置され、図１０及び１１において衝突−光ファイバー５０及び検出光ファイバー５２の配置が模式的に示される。当然のことながら、これらの光ファイバーは共通の一つの光導電ロッドにおいて配置されることが好ましく、しかしながら、基本的には、２つの光導電ロッドを構成することも可能である。
【００５６】
図１２は本発明の装置１０もまた手持ち式装置の形状で実現可能であることを示す。またこの解決法において、センサ２４は光源１８の上部に配置され、これにより、光導電ロッド４６は検出−及び衝突−光ファイバーを有する。手持ち式装置１０がスイッチ−オンボタン６０を介してスイッチオンされるとすぐに光導電ロッドのオフセット端部を介して歯科材料１４は衝突される。手持ち式装置２０のハンドル６２に収容されるアキュムレータ６４は公知の方法でエネルギーを光源１８に供給し、更にセンサ２４の出力信号に基づいて、重合が完了することが判定されるとすぐに、スイッチング−オフが実施される。
【００５７】
本明細書はドイツ国優先権明細書第１０２００５０１９３８６．２号の記載を参考に取り入れる。
【００５８】
本発明は当然、明細書および図面の特徴事項になんら限定されず、別添する特許請求の範囲内におけるあらゆる変更が包含される。
【図面の簡単な説明】
【００５９】
【図１】本発明に係る、重合可能な歯科材料の重合装置の第一の実施形態の概略図である。
【図２】図１の装置の別の実施形態を示す。
【図３】衝突放射線の発光極大及びセンサの感度曲線の説明図を示す。
【図４】本発明の制御の時間的進行のダイアグラムを示す。
【図５】本発明の修正された制御を表すダイアグラムを示す。
【図６】本発明に係る装置の別の実施形態を示す。
【図７】本発明に係る装置の更に別の実施形態を示す。
【図８】本発明に係る装置の更に別の実施形態を示す。
【図９】本発明の光導電要素の一部の説明図を示す。
【図１０】本発明の光導電ロッドにおける衝突−光ファイバーの配置を示す。
【図１１】本発明の光導電ロッドにおける検出−光ファイバーの配置を示す。
【図１２】手持ち式装置としての、本発明の装置の略図を示す。
【図１】
2006305362.tif 000003
【図２】
2006305362.tif 000004
【図３】
2006305362.tif 000005
【図４】
2006305362.tif 000006
【図５】
2006305362.tif 000007
【図６】
2006305362.tif 000008
【図７】
2006305362.tif 000009
【図８】
2006305362.tif 000010
【図９】
2006305362.tif 000011
【図１０】
2006305362.tif 000012
【図１１】
2006305362.tif 000013
【図１２】
2006305362.tif 000014